(57)【特許請求の範囲】
【請求項１】
電力系統で検出された系統電気量を所定のサンプリング周期でサンプリングしたデータである第１のデータを生成する１または複数の入力電気量取得装置と、前記各入力電気量取得装置と分離して配置され前記第１のデータを用いて前記電力系統の保護演算を行う１または複数の演算装置と、前記各入力電気量取得装置と前記各演算装置との間に介在し前記入力電気量取得装置から順次送信された前記第１のデータを収集して前記各演算装置へ配信するデータ集配装置とを備えた保護継電システムであって、
前記データ集配装置は、
前記各入力電気量取得装置から送信された伝送フレーム内の送信元アドレスを認識することによって前記各入力電気量取得装置に複数の前記伝送フレーム内の前記第１のデータを時系列的に格納する格納領域を有し、この格納領域に格納された複数の前記第１のデータを前記各入力電気量取得装置に読み出して、読み出された前記各第１のデータを加算してフィルタデータを求め、前記フィルタデータを用いて差動量、抑制量、または最大値を演算し、演算された差動量、抑制量、または最大値に関する第２のデータを、自己を送信元とする送信元アドレスを含む１つのフレームにセットして前記各演算装置へ配信することを特徴とする保護継電システム。
【請求項２】
前記データ集配装置は、
前記格納領域に格納された前記各第１のデータを読み出して、読み出された前記各第１のデータを時系列的に連続したひとまとまりのデータに集約し、このデータを前記第２のデータとして前記フレームにセットして出力する第１のフレーム出力部と、
前記格納領域に格納された前記各第１のデータを読み出して、読み出された前記各第１のデータを加算してフィルタデータを求め、このフィルタデータを前記第２のデータとして前記フレームにセットして出力する第２のフレーム出力部と、
の少なくとも１つを備えたことを特徴とする請求項１に記載の保護継電システム。
【請求項３】
前記入力電気量取得装置と前記演算装置との間には、前記入力電気量取得装置が接続された複数の前記データ集配装置が設けられ、
この各データ集配装置は、それぞれ、前記入力電気量取得装置からの前記伝送フレームに基づいて、前記第２のデータおよび前記フレームを生成し、このフレームに前記第２のデータをセットして出力することを特徴とする請求項１または請求項２に記載の保護継電システム。
【請求項４】
電力系統で検出された系統電気量を所定のサンプリング周期でサンプリングしたデータである第１のデータを生成する１または複数の入力電気量取得装置と、前記各入力電気量取得装置と分離して配置され前記第１のデータを用いて前記電力系統の保護演算を行う１または複数の演算装置と、前記各入力電気量取得装置と前記各演算装置との間に介在し前記入力電気量取得装置から順次送信された前記第１のデータを収集して前記各演算装置へ配信するデータ集配装置とを備えた保護継電システムであって、
前記データ集配装置は、
前記各入力電気量取得装置から送信された伝送フレーム内の送信元アドレスを認識することによって前記各入力電気量取得装置に複数の前記伝送フレーム内の前記第１のデータを時系列的に格納する格納領域を有し、
前記格納領域に格納された複数の前記第１のデータを前記各入力電気量取得装置に読み出して、読み出された前記各第１のデータを集約または加工した第２のデータを生成し、自己を送信元とする送信元アドレスを含む１つのフレームにこの第２のデータをセットして前記各演算装置へ配信し、
前記入力電気量取得装置と前記演算装置との間には、複数の前記データ集配装置が階層的に配置され、
前記入力電気量取得装置が接続された複数の前記データ集配装置は、それぞれ、前記入力電気量取得装置からの前記各伝送フレームに基づいて、前記第２のデータおよび前記フレームを生成し、このフレームに前記第２のデータをセットして自己の上の階層に配設されているデータ集配装置へ出力し、
自己の下の階層に配設されたデータ集配装置からの前記フレームを受信したデータ集配装置は、このフレームを前記伝送フレームと見立てて前記第２のデータおよび前記フレームを生成し、このフレームに前記第２のデータをセットして出力することを特徴とする保護継電システム。
【発明の詳細な説明】
【技術分野】
【０００１】
本発明は、電力系統（以下「系統」）の複数の地点で検出された各入力電気量を用いて系統を保護する複数の保護継電装置で構成された保護継電システムに関するものである。
【背景技術】
【０００２】
従来の一般的な保護継電装置では、系統で検出された電気量を所定のサンプリング周波数でサンプリングしたサンプリング値である電気量データを生成し、この電気量データを用いて逐次ディジタルフィルタ処理（フィルタ処理）を実行することによってサンプリング周波数と同じあるいは異なる演算周波数で保護演算が行われている。他方、近年では、設置場所の縮小化やメンテナンスの省力化のため、電気量データを生成する電気量取得装置と、電気量データに基づいて保護演算を行う演算装置とを分離して配置すると共に、電気量取得装置と演算装置と通信回線で接続するように構成された保護継電システムも存在する。
【０００３】
例えば、下記特許文献１に示される従来技術は、複数の保護リレーを通信回線に接続し、各保護リレーでディジタル化された電気量データを通信回線を介して相互に送受信することによって保護対象の保護を行うように構成されている。この従来技術では、電気量データを送信する際に、イーサネット（登録商標）フレーム（以下「伝送フレーム」）の宛先アドレスフィールドにマルチキャストアドレスあるいはブロードキャストアドレスを付加することによって、保護リレー装置間における電気量データの伝送を実現している。
【０００４】
また，下記特許文献２に示される従来技術では、電気量データ出力手段と保護制御手段との装置間で情報伝送路を形成する通信手段に、データ交換機能を持つスイッチングハブが配設されている。そして、このスイッチングハブが電気量データ出力手段からのデータの種類や宛先装置に応じてマルチキャストアドレスあるいはユニキャストアドレスを付与することで、通信手段上のデータトラフィックの増加を抑制している。
【先行技術文献】
【特許文献】
【０００５】
【特許文献１】特開２０１０−４１８９９号公報（段落００５５、００７０など）
【特許文献２】特開２００４−２８２８５６号公報（段落００２０〜００２３、段落００２７、００７６、図１０、１２など）
【発明の概要】
【発明が解決しようとする課題】
【０００６】
しかしながら、上記特許文献１、２に示される従来技術には、以下のような課題があった。ディジタル化された電気量データが伝送フレームに変換される際、伝送フレームにはヘッダーおよびフッダーなどが付与されるため、伝送路には、電気量データが伝送路に送信される毎に、送信先アドレスフィールド、送信元アドレスフィールド、ＩＰヘッダー、フレームチェックシーケンスコードフィールド（ＦＣＳ）などの情報も送信されることとなる。すなわち、伝送路には電気量データが伝送路に送信される毎に電気量データ以外の情報も送信されるため、サンプリング周波数が高まるに従って通信手段の負荷も増加し、データ伝送効率の低下を招くという課題があった。
【０００７】
本発明は、上記に鑑みてなされたものであって、データ伝送効率を向上させることが可能な保護継電システムを得ることを目的とする。
【課題を解決するための手段】
【０００８】
上述した課題を解決し、目的を達成するために、本発明は、電力系統で検出された系統電気量を所定のサンプリング周期でサンプリングしたデータである第１のデータを生成する１または複数の入力電気量取得装置と、前記各入力電気量取得装置と分離して配置され前記第１のデータを用いて前記電力系統の保護演算を行う１または複数の演算装置と、前記各入力電気量取得装置と前記各演算装置との間に介在し前記入力電気量取得装置から順次送信された前記第１のデータを収集して前記各演算装置へ配信するデータ集配装置とを備えた保護継電システムであって、前記データ集配装置は、前記各入力電気量取得装置から送信された伝送フレーム内の送信元アドレスを認識することによって前記各入力電気量取得装置に複数の前記伝送フレーム内の前記第１のデータを時系列的に格納する格納領域を有し、この格納領域に格納された複数の前記第１のデータを前記各入力電気量取得装置に読み出して、読み出された前記各第１のデータを加算してフィルタデータを求め、前記フィルタデータを用いて差動量、抑制量、または最大値を演算し、演算された差動量、抑制量、または最大値に関する第２のデータを、自己を送信元とする送信元アドレスを含む１つのフレームにセットして前記各演算装置へ配信することを特徴とする。
【発明の効果】
【０００９】
この発明によれば、複数の入力電気量取得装置から出力された伝送フレームに含まれる系統電気量データを加工し、この加工されたデータを新たな伝送フレームに変換するようにしたので、データ伝送効率を向上させることができるという効果を奏する。
【図面の簡単な説明】
【００１０】
【図１】図１は、本発明の実施の形態１にかかる保護継電システムの全体構成を示す図である。
【図２】図２は、データ集配装置の構成を示す図である。
【図３】図３は、図１に示される入力電気量取得装置で生成される伝送フレームの内容を説明するための図である。
【図４】図４は、図３に示される伝送フレーム内のデータ領域の内容を説明するための図である。
【図５】図５は、図１に示される入力電気量取得装置から出力される伝送フレームの一例を示す図である。
【図６】図６は、第１のフレーム出力部の動作を説明するための図である。
【図７】図７は、第２のフレーム出力部の動作を説明するための図である。
【図８】図８は、差動量等の演算に用いられる系統電気量と入力電気量取得装置との対応関係を説明するための図である。
【図９】図９は、第３のフレーム生成部の動作を説明するための図である。
【図１０】図１０は、本発明の実施の形態２にかかる保護継電システムの全体構成を示す図である。
【図１１】図１１は、実施の形態２にかかる保護継電システムの他の構成例を示す図である。
【発明を実施するための形態】
【００１１】
以下に、本発明にかかる保護継電システムの実施の形態を図面に基づいて詳細に説明する。なお、この実施の形態によりこの発明が限定されるものではない。
【００１２】
実施の形態１．
図１は、本発明の実施の形態１にかかる保護継電システムの全体構成を示す図であり、図２は、データ集配装置９の構成を示す図である。
【００１３】
図１において、実施の形態１にかかる保護継電システムは、主たる構成として、複数の入力電気量取得装置１、２、３と、保護演算を行う複数の演算装置６、７、８と、データ集配装置９とを有して構成されている。各入力電気量取得装置１、２、３とデータ集配装置９は、第１の伝送路４によって通信可能に接続され、データ集配装置９と各演算装置６は、第２の伝送路５によって通信可能に接続されている。
【００１４】
各入力電気量取得装置１、２、３は、後述する計器用変流器（Current Transformer：ＣＴ）などで計測された系統電気量Ｘ１、Ｘ２、Ｘ３を所定のサンプリング周期でサンプリングした電気量データ（第１のデータ）を生成する。さらに、入力電気量取得装置１、２、３は、後述する伝送フレームＢ１、Ｂ２、Ｂ３に、この電気量データをセットして出力する。
【００１５】
図２において、データ集配装置９は、主たる構成として、格納部３０、第１のフレーム出力部５０、第２のフレーム出力部６０、および第３のフレーム出力部７０を有して構成されている。
【００１６】
格納部３０は、入力部１０と、入力電気量取得装置１に対応するバッファ１１−１と、入力電気量取得装置２に対応するバッファ１１−２と、入力電気量取得装置３に対応するバッファ１１−３とを有して構成されている。
【００１７】
第１のフレーム出力部５０は、バッファ１１−１に対応する送信バッファ１４−１と、バッファ１１−２に対応する送信バッファ１４−２と、バッファ１１−３に対応する送信バッファ１４−３と、フレーム生成部１９とを有して構成されている。また、第２のフレーム出力部６０は、主たる構成として、バッファ１１−１に対応するフィルタ部１５−１と、バッファ１１−２に対応するフィルタ部１５−２と、バッファ１１−３に対応するフィルタ部１５−３と、フレーム生成部２０とを有して構成されている。また、第３のフレーム出力部７０は、主たる構成として、バッファ１１−１に対応するフィルタ部１５−１と、バッファ１１−２に対応するフィルタ部１５−２と、バッファ１１−３に対応するフィルタ部１５−３と、差動量・抑制量演算部１８と、フレーム生成部２１とを有して構成されている。なお、入力部１０、格納部３０、第１のフレーム出力部５０、第２のフレーム出力部６０、および第３のフレーム出力部７０の詳細に関しては後述する。
【００１８】
図３は、図１に示される入力電気量取得装置１〜３で生成される伝送フレームＢ１〜Ｂ３の内容を説明するための図であり、図４は、図３に示される伝送フレームＢ１〜Ｂ３内のデータ領域３６の内容を説明するための図であり、図５は、図１に示される入力電気量取得装置１〜３から出力される伝送フレームＢ１〜Ｂ３の一例を示す図である。
【００１９】
図３に示される伝送フレームＢ１〜Ｂ３は、イーサネット（登録商標）のフレームフォーマットに準拠したフレームであり、伝送フレームＢ１〜Ｂ３は、各機器にフレーム送信の開始を認識させると共に同期をとるタイミングを与えるための信号であるプリアンブルを設定する領域３１と、伝送フレームＢ１〜Ｂ３の送信先の物理アドレス（ＭＡＣアドレス）を設定する領域３２と、伝送フレームＢ１〜Ｂ３の送信元のＭＡＣアドレスを設定する領域３３と、伝送フレームＢ１〜Ｂ３の送信先の論理アドレス（ＩＰアドレス）を設定する領域３４と、伝送フレームＢ１〜Ｂ３の送信元のＩＰアドレスを設定する領域３５と、入力電気量取得装置１〜３で生成された第１のデータである電気量データを格納する領域３６と、伝送フレームＢ１〜Ｂ３のエラーを検出するためのＦＣＳを設定する領域３７とで構成される。なお、領域３１〜３５を伝送フレームＢ１〜Ｂ３のヘッダーと称し領域３７をフッダーと称する。
【００２０】
図３に示される領域３６には、図４に示されるように、領域４０には、サンプリングデータの識別子であるデータ種別インデックスが設定され、領域４１には、入力電気量取得装置１〜３の識別子である発信機器インデックスが設定され、領域４２には、各入力電気量取得装置１〜３において電気量データが生成される毎にカウントアップされるシリアルナンバー（各電気量データをユニークに識別する識別番号）が設定され、領域４３には、入力電気量取得装置１〜３で生成された電気量データが設定され、領域４４には、データ正常性フラグ群が設定される。
【００２１】
図５には、各入力電気量取得装置１〜３で生成される伝送フレームＢ１〜Ｂ３の具体例が示されている。例えば、図５の上段に示される伝送フレームＢ１に着目したとき、領域３４には、ブロードキャストの送信先ＩＰアドレスが設定される。なお、図５に示される領域３４には、ブロードキャストの頭文字「Ｂ」が記されている。また、領域３５には入力電気量取得装置１の送信元ＩＰアドレスが設定され、領域４０には、高速サンプリングデータを示す識別子が設定される。なお、図５の領域４０には、高速サンプリングデータの頭文字「高」が記されている。領域４１には、入力電気量取得装置１を表す「１」が設定され、領域４２には、「１０００１２」〜「１０００１９」が設定され、領域４３には、例えば時刻ｔ〜ｔ＋７でサンプリングされた電気量データ（Ｘｔ〜Ｘｔ＋７）が設定されている。電気量データＸｔは、時刻ｔのタイミングでサンプリングされたＡ相、Ｂ相、Ｃ相に関するサンプリング値であり、電気量データＸｔ＋１は、時刻ｔの１つ後のタイミングでサンプリングされたＡ相、Ｂ相、Ｃ相に関するサンプリング値である。各時刻ｔ〜ｔ＋ｎの間隔は、サンプリング周期を表す。図５の中段に示される伝送フレームＢ２および図５の下段に示される伝送フレームＢ３に設定される情報に関しても同様であり、以下説明を割愛する。
【００２２】
なお、図５では、図３に示される領域３１〜３３に設定される情報を省略しているが、例えば、領域３１には、図３に示されるプリアンブルが設定され、領域３２および領域３３には、上述したＩＰアドレスに対応付けられたＭＡＣアドレスが設定される。
【００２３】
次に、図２に示される格納部３０に関して説明する。入力部１０は、各入力電気量取得装置１〜３からの伝送フレームＢ１〜Ｂ３を取り込み、各伝送フレームＢ１〜Ｂ３のヘッダー（例えば送信元ＩＰアドレスなど）を認識することによって、各入力電気量取得装置１、２、３毎に複数の伝送フレームＢ１、Ｂ２、Ｂ３内の電気量データＸｔを、各伝送フレームＢ１〜Ｂ３に対応するバッファ１１−１、バッファ１１−２、およびバッファ１１−３へ時系列的に格納する。
【００２４】
例えば、伝送フレームＢ１を受信した入力部１０は、この伝送フレームＢ１の領域３５に設定された送信元ＩＰアドレスによって、伝送フレームＢ１の送信元が入力電気量取得装置１であることを認識し、図５に示されるシリアルナンバー「１０００１２」〜「１０００１９」が付与された複数の電気量データＸｔをバッファ１１−１へ格納する。また、伝送フレームＢ２を受信した入力部１０は、この伝送フレームＢ２の領域３５に設定された送信元ＩＰアドレスによって、伝送フレームＢ２の送信元が入力電気量取得装置２であることを認識し、図５に示されるシリアルナンバー「２２００１２」〜「２２００１９」が付与された複数の電気量データＸｔをバッファ１１−２へ格納する。また、伝送フレームＢ３を受信した入力部１０は、この伝送フレームＢ３の領域３５に設定された送信元ＩＰアドレスによって、伝送フレームＢ３の送信元が入力電気量取得装置３であることを認識し、図５に示されるシリアルナンバー「１５００１２」〜「１５００１９」が付与された複数の電気量データＸｔをバッファ１１−３へ格納する。その結果、各バッファ１１−１〜１１−３には、複数の電気量データＸｔが格納される。
【００２５】
このように、格納部３０は、入力電気量取得装置１、２、３から送信された伝送フレームＢ１〜Ｂ３内の送信元アドレス４１を認識することによって、各入力電気量取得装置１〜３毎に複数の電気量データＸｔを時系列的に格納する。
【００２６】
次に、図２に示される第１のフレーム出力部５０に関して説明する。各送信バッファ１４−１〜１４−３は、格納部３０（バッファ１１−１〜１１−３）に格納された複数の電気量データＸｔを読み出して、読み出された各電気量データＸｔを時系列的に連続したひとまとまりのデータに集約し、このデータを第２のデータとしてフレームＢ４にセットして出力する。ひとまとまりのデータは、各送信バッファ１４−１〜１４−３から出力されるデータＹ０−１〜Ｙ０−３である。例えば、送信バッファ１４−１は、バッファ１１−１に格納された電気量データＸｔを時系列的に連続したひとまとまりデータＹ０−１に変換する。同様に、送信バッファ１４−２は、バッファ１１−２に格納された電気量データＸｔを、時系列的に連続したひとまとまりのデータＹ０−２に変換し、送信バッファ１４−３は、バッファ１１−３に格納された電気量データＸｔを、時系列的に連続したひとまとまりのデータＹ０−３に変換する。
【００２７】
フレーム生成部１９は、自己を送信元とする送信元アドレス４１を含むフレームＢ４を生成し、このフレームＢ４にデータＹ０をセットして各演算装置６〜８へ配信する。
【００２８】
以下、図６を用いて、第１のフレーム出力部５０の動作を説明する。図６は、第１のフレーム出力部５０の動作を説明するための図である。図６（ａ）には、図５に示される伝送フレームＢ１と同じものが示され、図６（ｂ）には、フレーム生成部１９で生成される伝送フレームであるフレームＢ４が示され、このフレームＢ４の領域４３ａには、送信バッファ１４−１〜１４−３で生成されたデータＹ０が設定されている。
【００２９】
フレーム生成部１９は、電気量データＸｔが包含されていた伝送フレームＢ１の領域３４の送信先ＩＰアドレスがブロードキャストアドレス「Ｂ」である場合、このブロードキャストアドレスをユニキャストアドレスに変更する。図６（ｂ）には、送信先装置を演算装置６とした場合の例として、領域３４のＩＰアドレスを「６」にした例が示されている。また、フレーム生成部１９は、領域３５の送信元のＩＰアドレス「１」をデータ集配装置９であることを表すＩＰアドレス「９」に変更し、領域４０を高速サンプリングデータの集配したデータＹ０であることを表すインデックス「集」に変更し、領域４１をデータ集配装置９の識別子「９」に変更し、領域４２をデータＹ０が生成される毎にカウントアップされるシリアルナンバー（データＹ０をユニークに識別する識別番号）「７３４２３４」）に変更し、領域４３ａに送信バッファ１４−１からのデータＹ０「ＩＡ  ＩＢ  ＩＣ  ｔ’＝０」をセットして出力する。
【００３０】
従来技術では、演算装置６が高速サンプリングデータに基づいて保護演算を行う演算装置の保護演算部（例えば、入力電気量取得装置１のサンプリング周波数と同じ演算周波数で保護演算を行う演算部）である場合において、入力電気量取得装置１、２、３で電気量データＸｔが生成される毎に電気量データＸｔ以外の情報も第２の伝送路５へ伝送されることとなる。すなわち、入力電気量取得装置１、２、３で電気量データＸｔが生成される毎に、図６（ａ）に示されるヘッダー（領域３４〜シリアルナンバー４２などの情報）やフッダーなどの情報が第２の伝送路５に伝達される。従って、従来技術では、サンプリング周波数が高まるに従って、電気量データＸｔ以外の情報の伝達量も増加するため、データ伝送効率の低下を招いていた。
【００３１】
実施の形態１にかかる第１のフレーム出力部５０は、複数の入力電気量取得装置１〜３からの伝送フレームＢ１〜Ｂ３に含まれる電気量データＸｔを集約してデータＹ０を生成すると共に、自己を送信元とする送信元アドレス４１を含むフレームＢ４を生成して、このフレームＢ４にデータＹ０をセットして出力するようにしたので、高速サンプリングデータを個別に送信する場合に比べて、演算装置６に送信されるデータの全体量を減らすことができる。従って、第２の伝送路５上におけるデータ伝送効率の向上を図ることができると共に、演算装置６におけるデータ受信処理に伴う負担の軽減を図ることも可能である。
【００３２】
次に、第２のフレーム出力部６０に関して説明する。図２に示される各フィルタ部１５−１〜１５−３は、格納部３０（バッファ１１−１〜１１−３）に格納された複数の電気量データ（Ｘｔ〜Ｘｔ＋７）を読み出して、この各電気量データ（Ｘｔ〜Ｘｔ＋７）を加工したデータ（第２のデータ）を生成する。この加工したデータは、各フィルタ部１５−１〜１５−３から出力されるフィルタデータＹ１−１、Ｙ１−２、Ｙ１−３である。
【００３３】
例えば、フィルタ部１５−１は、バッファ１１−１に格納された電気量データＸｔを用いて（１）式による加算型フィルタ処理を行い、フィルタデータＹ１−１を生成する。同様に、フィルタ部１５−２は、バッファ１１−２に格納された電気量データＸｔを用いてフィルタデータＹ１−２を生成し、フィルタ部１５−３は、バッファ１１−３に格納された電気量データＸｔを用いてフィルタデータＹ１−３を生成する。なお、（１）式に示される振幅補正係数Ｋｍは、フィルタ演算で得られたデータの振幅を補正するための係数である。
【００３４】
【数１】
0005687142.tif 000002
【００３５】
フレーム生成部２０は、自己を送信元とする送信元アドレス４１を含むフレームＢ５を生成し、このフレームＢ５にフィルタデータＹ１をセットして各演算装置６〜８へ配信する。
【００３６】
以下、図７を用いて、第２のフレーム出力部６０の動作を説明する。図７は、第２のフレーム出力部６０の動作を説明するための図である。図７（ａ）には、図５に示される伝送フレームＢ１と同じものが示され、図７（ｂ）には、フレーム生成部２０で生成される伝送フレームであるフレームＢ５が示されている。このフレームＢ５の領域４３ａには、フィルタ部１５−１で生成されたフィルタデータＹ１が設定されている。
【００３７】
フレーム生成部１９は、電気量データＸｔが包含されていた伝送フレームＢ１の領域３４の送信先ＩＰアドレスがブロードキャストアドレス「Ｂ」である場合、このブロードキャストアドレスをユニキャストアドレスに変更する。図７（ｂ）には、送信先装置を演算装置７とした場合の例として、領域３４のＩＰアドレスを「７」にした例が示されている。また、フレーム生成部２０は、領域３５の送信元のＩＰアドレス「１」をデータ集配装置９であることを表すＩＰアドレス「９」に変更し、領域４０をフィルタデータＹ１（低速データ）を表すインデックス「低」に変更し、領域４１をデータ集配装置９の識別子「９」に変更し、領域４２をフィルタデータＹ１が生成される毎にカウントアップされるシリアルナンバー（フィルタデータＹ１をユニークに識別する識別番号）「３１２３２３」）に変更し、領域４３ａにフィルタ部１５−１からのフィルタデータＹ１「ＩＡ  ＩＢ  ＩＣ  ｔ’＝０」をセットする。
【００３８】
このように、第２のフレーム出力部６０では、格納部３０に格納された複数の伝送フレームＢ１〜Ｂ３を読み出して、この伝送フレームＢ１〜Ｂ３内の複数の電気量データＸｔを加算してフィルタデータＹ１を求め、このフィルタデータＹ１を第２のデータとしてフレームＢ５にセットして出力する。
【００３９】
従来技術では、演算装置７が低速データを必要とする保護演算部である場合において、入力電気量取得装置１、２、３で電気量データＸｔが生成される毎に電気量データＸｔ以外の情報も第２の伝送路５へ伝送されることとなる。すなわち、図７（ａ）に示されるヘッダーやフッダーなどの情報が第２の伝送路５に伝達される。従って、従来技術は、サンプリング周波数が高まるに従って、電気量データＸｔ以外の情報の伝達量も増加するため、データ伝送効率の低下を招くと共に、演算装置７において電気量データＸｔを抽出する処理と、電気量データＸｔを用いてフィルタ処理を実行する処理とが生じる。
【００４０】
実施の形態１にかかる第２のフレーム出力部６０は、複数の入力電気量取得装置１〜３からの伝送フレームＢ１〜Ｂ３に含まれる電気量データＸｔを加工してフィルタデータＹ１を生成すると共に、自己を送信元とする送信元アドレス４１を含むフレームＢ５を生成して、このフレームＢ５にフィルタデータＹ１をセットして出力するようにしたので、フィルタ処理前の電気量データＸｔを個々に送信する場合に比べて、演算装置７に送信されるデータの全体量を減らすことができる。従って、第２の伝送路５上におけるデータ伝送効率の向上を図ることができると共に、演算装置７におけるデータ受信処理に伴う負担の軽減と、フィルタ処理に伴う負荷の軽減とを図ることも可能である。
【００４１】
次に、第３のフレーム出力部７０に関して説明する。なお、第３のフレーム出力部７０に含まれるフィルタ部１５−１〜１５−３の説明は割愛し、ここでは、差動量・抑制量演算部１８およびフレーム生成部２１を中心に説明する。
【００４２】
差動量・抑制量演算部１８は、フィルタ部１５−１からのフィルタデータＹ１−１を取り込み、（２）式に従い差動量Ｚｄ（ｔ）を求める。同様に、差動量・抑制量演算部１８は、フィルタ部１５−２からのフィルタデータＹ１−２を取り込み差動量Ｚｄ（ｔ）を求め、フィルタ部１５−３からのフィルタデータＹ１−３を取り込み差動量Ｚｄ（ｔ）を求める。
【００４３】
【数２】
0005687142.tif 000003
【００４４】
また、差動量・抑制量演算部１８は、各フィルタ部１５−１〜１５−３からのフィルタデータＹ１を取り込み、（３）式に従い抑制量Ｚｒ（ｔ）を求める。
【００４５】
【数３】
0005687142.tif 000004
【００４６】
また、差動量・抑制量演算部１８は、各フィルタ部１５−１〜１５−３からのフィルタデータＹ１を取り込み、（４）式に従い最大値Ｚｍ（ｔ）を求める。
【００４７】
【数４】
0005687142.tif 000005
【００４８】
差動量・抑制量演算部１８で演算された差動量Ｚｄ（ｔ）、抑制量Ｚｒ（ｔ）、および最大値Ｚｍ（ｔ）に関するデータ（差動量等データＺ０）は、フレーム生成部２１に取り込まれる。
【００４９】
このように、図２に示される各フィルタ部１５−１〜１５−３が格納部３０（バッファ１１−１〜１１−３）に格納された複数の電気量データＸｔを読み出してフィルタデータＹ１を生成し、差動量・抑制量演算部１８は、このフィルタデータＹ１を用いて差動量等データＺ０を生成する。すなわち、第３のフレーム出力部７０は、格納部３０に格納された複数の電気量データＸｔを読み出して、複数の電気量データＸｔを加工した差動量等データＺ０（第２のデータ）を生成する。
【００５０】
フレーム生成部２１は、自己を送信元とする送信元アドレス４１を含むフレームＢ６を生成し、このフレームＢ６に差動量等データＺ０をセットして各演算装置６〜８へ配信する。
【００５１】
ここで、入力電気量取得装置１、２、３に取り込まれる系統電気量Ｘ１、Ｘ２、Ｘ３に関して補足する。図８は、差動量等の演算に用いられる系統電気量Ｘ１、Ｘ２、Ｘ３と入力電気量取得装置１〜３との対応関係を説明するための図である、図８には、入力電気量取得装置１に相当する入力電気量取得装置１００と、入力電気量取得装置２に相当する入力電気量取得装置２００と、入力電気量取得装置３に相当する入力電気量取得装置３００と、入力電気量取得装置１００〜３００の保護対象である３相母線の各相の母線８０ａ、８０ｂ、８０ｃが示され、例えば、母線８０ａはＡ相の母線、母線８０ｂはＢ相の母線、母線８０ｃはＣ相の母線である。母線８０ａからの引き出し線８１ａには、遮断器８４ａおよびＣＴ８７ａが設置されている。母線８０ａからの引き出し線８２ａには、遮断器８５ａおよびＣＴ８８ａが設置され、母線８０ａからの引き出し線８３ａには、遮断器８６ａおよびＣＴ８９ａが設置されている。これらのＣＴ８７ａ、８８ａ、８９ａには、それぞれケーブル９０ａ、９１ａ、９２ａの一端が接続され、ケーブル９０ａ、９１ａ、および９２ａの他端が入力電気量取得装置１００内の入力変換器群（図示せず）に接続されている。
【００５２】
また、母線８０ｂからの引き出し線８１ｂには、遮断器８４ｂおよびＣＴ８７ｂが設置されている。母線８０ｂからの引き出し線８２ｂには、遮断器８５ｂおよびＣＴ８８ｂが設置され、母線８０ｂからの引き出し線８３ｂには、遮断器８６ｂおよびＣＴ８９ｂが設置されている。これらのＣＴ８７ｂ、８８ｂ、８９ｂには、それぞれケーブル９０ｂ、９１ｂ、９２ｂの一端が接続され、ケーブル９０ｂ、９１ｂ、および９２ｂの他端が入力電気量取得装置２００内の入力変換器群（図示せず）に接続されている。
【００５３】
また、母線８０ｃからの引き出し線８１ｃには、遮断器８４ｃおよびＣＴ８７ｃが設置されている。同様に、母線８０ｃからの引き出し線８２ｃには、遮断器８５ｃおよびＣＴ８８ｃが設置され、母線８０ｃからの引き出し線８３ｃには、遮断器８６ｃおよびＣＴ８９ｃが設置されている。これらのＣＴ８７ｃ、８８ｃ、８９ｃには、それぞれケーブル９０ｃ、９１ｃ、９２ｃの一端が接続され、ケーブル９０ｃ、９１ｃ、および９２ｃの他端が入力電気量取得装置３００内の入力変換器群（図示せず）に接続されている。
【００５４】
ここで、入力電気量取得装置１００には、複数の地点（例えばＣＴ８７ａ、ＣＴ８８ａ、およびＣＴ８９ａが設置されている地点）で検出された系統電気量Ｘ１が取り込まれる。同様に、入力電気量取得装置２００には、複数の地点（例えばＣＴ８７ｂ、ＣＴ８８ｂ、およびＣＴ８９ｂが設置されている地点）で検出された系統電気量Ｘ２が取り込まれ、入力電気量取得装置３００には、複数の地点（例えばＣＴ８７ｃ、ＣＴ８８ｃ、およびＣＴ８９ｃが設置されている地点）で検出された系統電気量Ｘ３が取り込まれる。このように、複数の地点で検出された系統電気量Ｘ１〜Ｘ３は、入力電気量取得装置１００〜３００で電気量データＸｔに変換され、格納部３０にはこの電気量データＸｔを含む伝送フレームＢ１、Ｂ２、Ｂ３が格納される。さらにフィルタ部１５−１〜１５−３では、これらの電気量データＸｔを用いてフィルタデータＹ１が生成され、差動量・抑制量演算部１８では、フィルタデータＹ１に基づいて差動量等データＺ０が生成される。
【００５５】
以下、図９を用いて、フレーム生成部２１の動作を説明する。図９は、第３のフレーム出力部７０の動作を説明するための図である。図９（ａ）には、図５に示される伝送フレームＢ１と同じものが示され、図９（ｂ）には、フレーム生成部２１で生成される伝送フレームであるフレームＢ６が示され、このフレームＢ６の領域４３ａには、差動量・抑制量演算部１８で生成された差動量等データＺ０が設定される。
【００５６】
フレーム生成部２１は、電気量データＸｔが包含されていた伝送フレームＢ１の領域３４の送信先ＩＰアドレスがブロードキャストアドレス「Ｂ」である場合、このブロードキャストアドレスをユニキャストアドレスに変更する。図９（ｂ）には、送信先装置を演算装置８とした場合の例として、領域３４のＩＰアドレスを「８」にした例が示されている。また、フレーム生成部２１は、領域３５の送信元のＩＰアドレス「１」、「２」、「３」をデータ集配装置９であることを表すＩＰアドレス「９」に変更し、領域４０を差動量等データＺ０を表すインデックス「差」に変更し、領域４１をデータ集配装置９の識別子「９」に変更し、領域４２を差動量等データＺ０が生成される毎にカウントアップされるシリアルナンバー（差動量等データＺ０をユニークに識別する識別番号）「４３２４３２」）に変更し、領域４３を差動量等データＺ０「Ｉｄ  Ｉｒ  Ｉｍ  ｔ’＝０」（Ｉｄ：差動量、Ｉｒ：抑制量、Ｉｍ：最大値）に変更する。
【００５７】
このように第３のフレーム出力部７０では、格納部３０に格納された複数の電気量データＸｔを読み出して、この複数の電気量データＸｔを加算してフィルタデータＹ１を求め、このフィルタデータＹ１を用いて差動量Ｚｄ（ｔ）、抑制量Ｚｒ（ｔ）、および最大値Ｚｍ（ｔ）を演算し、差動量Ｚｄ（ｔ）、抑制量Ｚｒ（ｔ）、および／または最大値Ｚｍ（ｔ）に関するデータ（差動量等データＺ０）を第２のデータとしてフレームＢ６にセットして出力する。
【００５８】
従来技術では、演算装置８が差動量等データＺ０を必要とする差動保護継電器の保護演算部である場合において、入力電気量取得装置１、２、３で電気量データＸｔが生成される毎に、電気量データＸｔ以外の情報を含むフレームが第２の伝送路５へ伝送されることとなる。すなわち、図９（ａ）に示されるヘッダーやフッダーなどの情報が第２の伝送路５に伝達される。従って、従来技術は、サンプリング周波数が高まるに従って、電気量データＸｔ以外の情報の伝達量も増加するため、データ伝送効率の低下を招くと共に、演算装置８において電気量データＸｔを抽出する処理と、電気量データＸｔを用いて差動量等データＺ０を演算する処理とが生じる。
【００５９】
実施の形態１にかかる第３のフレーム出力部７０は、複数の入力電気量取得装置１〜３からの伝送フレームＢ１〜Ｂ３に含まれる電気量データＸｔを加工して差動量等データＺ０を生成すると共に、自己を送信元とする送信元アドレス４１を含むフレームＢ６を生成して、このフレームＢ６に差動量等データＺ０をセットして出力するようにしたので、フィルタ処理前の電気量データＸｔを個々に送信する場合に比べて、演算装置８に送信されるデータの全体量を減らすことができる。従って、第２の伝送路５上におけるデータ伝送効率の向上を図ることができると共に、演算装置８におけるデータ受信処理に伴う負担の軽減と、差動量等の演算処理に伴う負荷の軽減とを図ることも可能である。
【００６０】
なお、図６、７、９では、フレームＢ４〜Ｂ６のＭＡＣアドレス（領域３２、３３）に関する説明を省略しているが、ＭＡＣアドレスは、ＩＰアドレスに対応して接続される物理構成により設定するものとする。
【００６１】
また、上記説明では、伝送フレームＢ１〜Ｂ３の領域３４に設定されたブロードキャストアドレスを、ユニキャストアドレスに変更した例を説明したが、これに限定されるものではなく、領域３４に設定された送信先ＩＰアドレスがマルチキャストアドレスの場合、このマルチキャストアドレスをユニキャストアドレス（またはマルチキャストアドレス）に変更するように構成してもよい。
【００６２】
また、上記説明では、第１のフレーム出力部５０、第２のフレーム出力部６０、第３のフレーム出力部７０は、各バッファ１１−１〜１１−３に格納され８つの電気量データＸｔをバッファサイズ単位で読み出して、この読み出された複数の電気量データＸｔを用いて第２のデータを得るように構成した例を説明したが、これに限定されるものではなく、例えば、各バッファ１１−１〜１１−３の３分の１や２分の１などのサイズ毎に読み出して、第２のデータを得るように構成してもよい。また、各バッファ１１−１〜１１−３のバッファサイズは、８つに限定されるものではない。
【００６３】
また、上記説明では、データ集配装置９を、複数の入力電気量取得装置１、２、３と複数の演算装置６〜８とを有する保護継電システムに適用した例を説明したが、これに限定されるものではなく、例えば、１つの入力電気量取得装置１と１または複数の演算装置６〜８とを有する保護継電システムにも適用可能であり、１または複数の入力電気量取得装置１〜３と１または複数の演算装置６〜８とを有する保護継電システムにも適用可能である。
【００６４】
また、上記説明では、第１のフレーム出力部５０、第２のフレーム出力部６０、および第３のフレーム出力部７０を全て備えたデータ集配装置９に関して説明したが、これに限定されるものではなく、データ集配装置９は、第１のフレーム出力部５０、第２のフレーム出力部６０、および第３のフレーム出力部７０を少なくとも１つを備えるように構成してもよく、このように構成すれば、データ集配装置９の構成を簡略化することが可能である。
【００６５】
以上に説明したように、実施の形態１にかかる保護継電システムは、電力系統で検出された系統電気量Ｘ１〜Ｘ３を所定のサンプリング周期でサンプリングしたデータである電気量データ（第１のデータ）Ｘｔを生成する１または複数の入力電気量取得装置１〜３と、前記各入力電気量取得装置１、２、３と分離して配置され前記電気量データＸｔを用いて前記電力系統の保護演算を行う１または複数の演算装置６、７、８と、前記各入力電気量取得装置１、２、３と前記各演算装置６、７、８との間に介在し前記入力電気量取得装置１、２、３から順次送信された前記電気量データＸｔを収集して前記各演算装置６、７、８へ配信するデータ集配装置９とを備えた保護継電システムであって、前記データ集配装置９は、前記各入力電気量取得装置１、２、３から送信された前記伝送フレームＢ１、Ｂ２、Ｂ３内の送信元アドレス４１を認識することによって前記各入力電気量取得装置１、２、３に複数の前記伝送フレームＢ１、Ｂ２、Ｂ３内の第１のデータＸｔを時系列的に格納する格納領域を有し、この格納領域に格納された複数の第１のデータＸｔを前記各入力電気量取得装置１、２、３に読み出して、読み出された前記各第１のデータＸｔを集約または加工した第２のデータ（Ｙ０、Ｙ１、Ｚ０）を生成し、自己を送信元とする送信元アドレス４１を含む１つのフレームＢ４、Ｂ５、Ｂ６にこの第２のデータ（Ｙ０、Ｙ１、Ｚ０）をセットして前記各演算装置６、７、８へ配信するようにしたので、入力電気量取得装置１〜３から送信された複数の伝送フレームＢ１、Ｂ２、Ｂ３を１つのフレームＢ４、Ｂ５、Ｂ６に変換して演算装置６〜８へ配信することができる。従って、各伝送フレームＢ１、Ｂ２、Ｂ３に付与されていたフッダーやヘッダーが軽減され、データ伝送効率を向上させることが可能である。
【００６６】
実施の形態２．
実施の形態１にかかる保護継電システムでは、例えば、図８に示される入力電気量取得装置１にＣＴ８７ａ、８８ａ、８９ａからの３つの電気量が取り込まれ、同様に、入力電気量取得装置２、３にもそれぞれ３つの電気量が取り込まれる。従って、差動量・抑制量演算部１８は、９つ（３量＊３）の電気量データＸｔを用いて、例えば、差動量Ｚｄ（ｔ）および抑制量Ｚｒ（ｔ）を各々３つ生成する。すなわち、差動量・抑制量演算部１８は、９量の入力データに対して６量の出力データを生成する。ここで、入力電気量取得装置１〜３の台数が例えば６台の場合、差動量・抑制量演算部１８は、１８量（３量＊６）の電気量データＸｔを用いて６量の出力データを生成することとなる。このように入力電気量取得装置１〜３の台数が増加するに従い、データ集配装置９の処理負担（特に差動量・抑制量演算部１８における処理負担）が増大する。実施の形態２にかかる保護継電システムは、データ集配装置９の１台当たりの処理負担を軽減するため、複数のデータ集配装置９を有して構成されている。以下、実施の形態１と同一部分には、同一符号を付してその説明を省略し、ここでは異なる部分についてのみ述べる。
【００６７】
図１０は、本発明の実施の形態２にかかる保護継電システムの全体構成を示す図である。図１０には、複数の入力電気量取得装置１−１、２−１、３−１、１−２、２−２、３−２が示され、例えば、データ集配装置９−１には、第１の伝送路４を介して入力電気量取得装置１−１〜３−１が接続され、データ集配装置９−２には、第１の伝送路４を介して入力電気量取得装置１−２〜３−２が接続されている。入力電気量取得装置１−１、１−２は、実施の形態１にかかる入力電気量取得装置１に相当し、入力電気量取得装置２−１、２−２は、実施の形態１にかかる入力電気量取得装置２に相当し、入力電気量取得装置３−１、３−２は、実施の形態１にかかる入力電気量取得装置３に相当する。
【００６８】
次に、実施の形態２にかかる保護継電システムの動作を説明する。系統で検出された系統電気量Ｘ１〜Ｘ３は、入力電気量取得装置１−１〜３−２で電気量データＸｔに変換される。電気量データＸｔは、伝送フレームＢ１〜Ｂ３に変換され、第１の伝送路４を介してデータ集配装置９−１、９−２に伝送される。
【００６９】
データ集配装置９−１、９−２内の入力部１０に取り込まれた各伝送フレームＢ１〜Ｂ３内の電気量データＸｔは、バッファ１１−１〜１１−３に格納される。第１のフレーム出力部５０、第２のフレーム出力部６０、および第３のフレーム出力部７０では、バッファ１１−１〜１１−３に格納された複数の電気量データＸｔを集約または加工して第２のデータを生成し、自己を送信元とする送信元アドレスを含む１つのフレームにこの第２のデータをセットして各演算装置６〜８へ配信する。
【００７０】
データ集配装置９−１内の各第３のフレーム出力部７０に関して補足すると、差動量・抑制量演算部１８は、各１５−１〜１５−３からの低速データを取り込み、（５）式に従い差動量Ｚｄ１（ｔ）を求める。
【００７１】
【数５】
0005687142.tif 000006
【００７２】
また、差動量・抑制量演算部１８は、各１５−１〜１５−３からの低速データを取り込み、（６）式に従い抑制量Ｚｒ１（ｔ）を求める。
【００７３】
【数６】
0005687142.tif 000007
【００７４】
また、差動量・抑制量演算部１８は、各１５−１〜１５−３からの低速データを取り込み、（７）式に従い最大値Ｚｍ１（ｔ）を求める。
【００７５】
【数７】
0005687142.tif 000008
【００７６】
データ集配装置９−２内の第３のフレーム出力部７０に関して補足すると、差動量・抑制量演算部１８は、（８）式に従い差動量Ｚｄ２（ｔ）を求める。
【００７７】
【数８】
0005687142.tif 000009
【００７８】
また、差動量・抑制量演算部１８は、（９）式に従い抑制量Ｚｒ２（ｔ）を求める。
【００７９】
【数９】
0005687142.tif 000010
【００８０】
また、差動量・抑制量演算部１８は、（１０）式に従い最大値Ｚｍ２（ｔ）を求める。
【００８１】
【数１０】
0005687142.tif 000011
【００８２】
データ集配装置９−１、９−２内の各フレーム生成部１９では、実施の形態１と同様に、フレームＢ４にデータＹ０をセットして出力する。また、データ集配装置９−１、９−２内の各フレーム生成部２０は、フレームＢ５にフィルタデータＹ１をセットして出力し、データ集配装置９−１、９−２内の各フレーム生成部２１は、フレームＢ６に差動量等データＺ０をセットして出力する。これらのフレームＢ４〜Ｂ６は、演算装置６〜８に送信され、フレームＢ４〜Ｂ６を受信した演算装置６〜８では、フレームＢ４〜Ｂ６内のデータに基づいて保護演算が行われる。
【００８３】
なお、実施の形態２では、各データ集配装置９−１、９−２にそれぞれ入力電気量取得装置１−１〜３−１、入力電気量取得装置１−２〜３−２が接続されているが、入力電気量取得装置１−１〜３−１、入力電気量取得装置１−２〜３−２の数は、３つに限定されるものではなく、４つ以上であってもよい。また、各データ集配装置９−１、９−２の数は、２台に限定されるものではない。
【００８４】
以上に説明したように、実施の形態２にかかる保護継電システムは、各入力電気量取得装置１、２、３と演算装置６〜８との間には、各入力電気量取得装置１、２、３が接続された複数のデータ集配装置９−１、９−２が設けられ、この各データ集配装置９−１、９−２は、それぞれ、各入力電気量取得装置１、２、３からの伝送フレームＢ１〜Ｂ３に基づいて、第２のデータ（データＹ０、フィルタデータＹ１、差動量等データＺ０）およびフレームＢ４〜Ｂ６を生成し、このフレームＢ４〜Ｂ６に第２のデータをセットして演算装置６〜８に対して出力するようにしたので、実施の形態１と同様に、第２の伝送路５上におけるデータ伝送効率の向上と、演算装置６におけるデータ受信処理に伴う負担の軽減と、演算装置７におけるデータ受信処理およびフィルタ処理に伴う負荷の軽減と、演算装置８におけるデータ受信処理および差動量等の演算処理に伴う負荷の軽減とを図ることが可能である。さらに、実施の形態２にかかる保護継電システムによれば、これらの効果に加えて、データ集配装置９の１台当たりの処理負担の軽減を図ることが可能である。
【００８５】
なお、実施の形態２にかかる保護継電システムは、以下のように構成してもよい。
【００８６】
図１１は、実施の形態２にかかる保護継電システムの他の構成例を示す図である。図１０に示される保護継電システムと異なる点は、複数のデータ集配装置９−１、９−２と演算装置６〜８との間には、データ集配装置９ａが設けられ、さらに、複数のデータ集配装置９−３、９−４と演算装置６〜８との間には、データ集配装置９ｂが設けられており、データ集配装置９ａ（またはデータ集配装置９ｂ）は、複数のデータ集配装置９−１、９−２（またはデータ集配装置９−３、９−４）からのフレームＢ４、Ｂ５、Ｂ６を受信して、フレームＢ４’、Ｂ５’、Ｂ６’を生成して演算装置６、７、８へ送信するように構成されている点である。
【００８７】
より具体的には、データ集配装置９ａ、データ集配装置９ｂ、データ集配装置９−１、データ集配装置９−２、データ集配装置９−３、およびデータ集配装置９−４は階層的に配置されている。データ集配装置９ａは、自己の１つ下の階層に配設された複数のデータ集配装置９−１、９−２から送信されるフレームＢ４、Ｂ５、Ｂ６を収集して、これらのフレームＢ４、Ｂ５、Ｂ６を伝送フレームＢ１、Ｂ２、Ｂ３と見立てて、実施の形態１にかかるデータ集配装置９と同様の処理を実行する。例えば、データ集配装置９ａ内の入力部１０に取り込まれた各フレームＢ４〜Ｂ６内の電気量データＸｔは、バッファ１１−１、バッファ１１−２、およびバッファ１１−３に格納される。データ集配装置９ａ内の第１のフレーム出力部５０、第２のフレーム出力部６０、および第３のフレーム出力部７０は、フレームＢ４’、Ｂ５’、Ｂ６’および第２のデータ（データＹ０、フィルタデータＹ１、差動量等データＺ０）を生成し、フレームＢ４’、Ｂ５’、Ｂ６’に第２のデータをセットして演算装置６〜８へ送信する。データ集配装置９ｂの動作も同様である。
【００８８】
このように、実施の形態２にかかる保護継電システムは、各入力電気量取得装置１〜３と演算装置６〜８との間には、複数のデータ集配装置９が階層的に配置され、各入力電気量取得装置１〜３が接続された複数のデータ集配装置９−１〜９−４は、それぞれ、各入力電気量取得装置１〜３からの各伝送フレームＢ１〜Ｂ３に基づいて、第２のデータ（データＹ０、フィルタデータＹ１、差動量等データＺ０）およびフレームＢ４〜Ｂ６を生成し、このフレームＢ４〜Ｂ６に第２のデータをセットして自己の上の階層に配設されているデータ集配装置９ａ、９ｂへ出力し、自己の下の階層に配設されたデータ集配装置９からのフレームＢ４〜Ｂ６を受信したデータ集配装置９ａ、９ｂは、このフレームＢ４〜Ｂ６を伝送フレームＢ１〜Ｂ３と見立てて第２のデータおよびフレームＢ４〜Ｂ６を生成し、このフレームＢ４〜Ｂ６に第２のデータをセットして演算装置６〜８に対して出力するようにしたので、図１０に示される保護継電システムと同様の効果を得ることができると共に、より多くの電気量データＸｔを取り込むことが可能である。
【００８９】
なお、図１０および図１１に示される各９−１〜９−４の設置範囲は、例えば、主回路（ガス絶縁開閉装置）の物理的に構成される一定範囲毎に配設され、例えば、数Ｂａｙ（Ｂａｙ：主回路の保護制御単位）に１台配設されるものとする。
【００９０】
また、図１１に示される保護継電システムには、上位階層のデータ集配装置９ａ、９ｂが２つ配設されているが、２つに限定されるものではない。また、図１１に示される保護継電システムは、各データ集配装置９でデータ格納された際の遅延時間を考慮して２階層が望ましいが、２階層に限定されるものではなく、３つ以上の階層数であってもよい。
【００９１】
また、実施の形態１、２に示した保護継電システムは、本発明の内容の一例を示すものであり、更なる別の公知の技術と組み合わせることも可能であるし、本発明の要旨を逸脱しない範囲で、一部を省略する等、変更して構成することも可能であることは無論である。
【産業上の利用可能性】
【００９２】
以上のように、本発明は、保護継電システムに適用可能であり、特に、データ伝送効率を向上させることができる発明として有用である。
【符号の説明】
【００９３】
１、２、３、１−１、２−１、３−１、１−２、２−２、３−２、１−３、２−３、３−３、１−４、２−４、３−４、１００、２００、３００  入力電気量取得装置
４  第１の伝送路
５  第２の伝送路
６、７、８  演算装置
９、９−１、９−２、９−３、９−４、９ａ、９ｂ  データ集配装置
１０  入力部
１１−１、１１−２、１１−３  バッファ
１４−１、１４−２、１４−３  送信バッファ
１５−１、１５−２、１５−３  フィルタ部
１８  差動量・抑制量演算部
１９、２０、２１  フレーム生成部
３０  格納部
３１、３２、３３、３４、３５、３６、３７、４０、４１、４２、４３、４４  領域
５０  第１のフレーム出力部
６０  第２のフレーム出力部
７０  第３のフレーム出力部
８０ａ、８０ｂ、８０ｃ  母線
８１ａ、８１ｂ、８１ｃ、８２ａ、８２ｂ、８２ｃ、８３ａ、８３ｂ、８３ｃ  引き出し線
８４ａ、８４ｂ、８４ｃ、８５ａ、８５ｂ、８５ｃ、８６ａ、８６ｂ、８６ｃ  遮断器
８７ａ、８７ｂ、８７ｃ、８８ａ、８８ｂ、８８ｃ、８９ａ、８９ｂ、８９ｃ  ＣＴ（変流器）
９０ａ、９０ｂ、９０ｃ、９１ａ、９１ｂ、９１ｃ、９２ａ、９２ｂ、９２ｃ  ケーブル
Ｂ１、Ｂ２、Ｂ３  伝送フレーム
Ｂ４、Ｂ５、Ｂ６、Ｂ４’、Ｂ５’、Ｂ６’  フレーム
Ｘ１、Ｘ２、Ｘ３  系統電気量
Ｘｔ  電気量データ（第１のデータ）
Ｙ０、Ｙ０−１、Ｙ０−２、Ｙ０−３  データ（第２のデータ）
Ｙ１、Ｙ１−１、Ｙ１−２、Ｙ１−３  フィルタデータ（第２のデータ）
Ｚ０  差動量等データ（第２のデータ）
【図１】
0005687142.tif 000012
【図２】
0005687142.tif 000013
【図３】
0005687142.tif 000014
【図４】
0005687142.tif 000015
【図５】
0005687142.tif 000016
【図６】
0005687142.tif 000017
【図７】
0005687142.tif 000018
【図８】
0005687142.tif 000019
【図９】
0005687142.tif 000020
【図１０】
0005687142.tif 000021
【図１１】
0005687142.tif 000022